(57)【要約】  本開示の実施形態は、チャネル状態情報（ＣＳＩ）の測定に用いられる方法、デバイス及び装置、並びに、ＣＳＩ参照信号（ＣＳＩ−ＲＳ）の送信に用いられる方法、デバイス及び装置に関する。本開示の実施形態では、ネットワーク機器から、複数のＣＳＩ−ＲＳリソースを備えるＣＳＩ−ＲＳリソースセットを示すＣＳＩ−ＲＳリソース設定が受信される。その後、複数のＣＳＩ−ＲＳリソースコンビネーションのうちの１つのＣＳＩ−ＲＳリソースコンビネーションを用いて、ＣＳＩ測定を実行する。複数のＣＳＩ−ＲＳリソースコンビネーションは、事前定義のコンビネーションルールに基づき、ＣＳＩ−ＲＳリソースセットから決定される。本開示の実施形態により、マルチＴＲＰ／マルチパネルのためのＣＳＩ測定をサポートすることができる。【選択図】図２
2021535636.tif 000002
【特許請求の範囲】
【請求項１】
ネットワーク機器からＣＳＩ参照信号（ＣＳＩ−ＲＳ）リソース設定を受信することと、
複数のＣＳＩ−ＲＳリソースコンビネーションのうちの１つのＣＳＩ−ＲＳリソースコンビネーションを用いて、ＣＳＩ測定を実行することと、
を備え、
前記ＣＳＩ−ＲＳリソース設定は、複数のＣＳＩ−ＲＳリソースを含むＣＳＩ−ＲＳリソースセットを示し、
前記複数のＣＳＩ−ＲＳリソースコンビネーションは、事前定義のコンビネーションルールに基づき、前記ＣＳＩ−ＲＳリソースセットから決定される、無線通信システムにおけるチャネル状態情報（ＣＳＩ）の測定に用いられる方法。
【請求項２】
前記複数のＣＳＩ−ＲＳリソースコンビネーションのうちの各ＣＳＩ−ＲＳリソースコンビネーションは、
前記ＣＳＩ−ＲＳリソースセットのうちの１つのＣＳＩ−ＲＳリソースからのポートのコンビネーションを含む、請求項１に記載の方法。
【請求項３】
前記複数のＣＳＩ−ＲＳリソースコンビネーションのうちの各ＣＳＩ−ＲＳリソースコンビネーションは、
前記ＣＳＩ−ＲＳリソースセットからのＣＳＩ−ＲＳリソースのコンビネーションを含む、請求項１に記載の方法。
【請求項４】
ＣＳＩ−ＲＳリソースコンビネーションにおけるリソースは、同一スロットに位置するか、
ＣＳＩ−ＲＳリソースコンビネーションにおける前記リソースは、連続スロットに位置するか、又は
前記ＣＳＩ−ＲＳリソースコンビネーションにおける前記リソースの間に、所定数のシンボルより小さい間隔を有する、請求項３に記載の方法。
【請求項５】
ＣＳＩ−ＲＳリソースコンビネーションのうちの少なくとも２つのリソースは、異なる電力比を有する、請求項１〜３のいずれか１項に記載の方法。
【請求項６】
前記方法はさらに、
前記ネットワーク機器から、少なくとも２つの送信設定指示（ＴＣＩ）を受信することを備え、
前記ＣＳＩ測定を実行することはさらに、
複数のＣＳＩ−ＲＳリソースコンビネーションにおける、前記少なくとも２つのＴＣＩにより示される少なくとも２つの疑似コロケーション（ＱＣＬ）設定を有する１つのＣＳＩ−ＲＳリソースコンビネーションを用いて、前記ＣＳＩ測定を実行することを備える、請求項１に記載の方法。
【請求項７】
前記ＣＳＩ測定は、複数の送受信ポイント（ＴＲＰ）送信のためのマルチＴＲＰについて、実行される、請求項１〜６のいずれか１項に記載の方法。
【請求項８】
前記ＣＳＩ測定は、複数のパネル送信のためのマルチパネルについて、実行される、請求項１〜６のいずれか１項に記載の方法。
【請求項９】
端末機器にＣＳＩ−ＲＳリソース設定を送信することと、
複数のＣＳＩ−ＲＳリソースコンビネーションのうちの１つのＣＳＩ−ＲＳリソースコンビネーションを用いて、ＣＳＩ−ＲＳを送信することと
を備え、
前記ＣＳＩ−ＲＳリソース設定は、複数のＣＳＩ−ＲＳリソースを含むＣＳＩ−ＲＳリソースセットを示し、
前記複数のＣＳＩ−ＲＳリソースコンビネーションは、事前定義のコンビネーションルールに基づき、前記ＣＳＩ−ＲＳリソースセットから決定される、無線通信におけるチャネル状態情報参照信号（ＣＳI−ＲＳ）の送信に用いられる方法。
【請求項１０】
前記複数のＣＳＩ−ＲＳリソースコンビネーションのうちの各ＣＳＩ−ＲＳリソースコンビネーションは、
前記ＣＳＩ−ＲＳリソースセットのうちの１つのＣＳＩ−ＲＳリソースからのポートのコンビネーションを含む、請求項９に記載の方法。
【請求項１１】
前記複数のＣＳＩ−ＲＳリソースコンビネーションのうちの各ＣＳＩ−ＲＳリソースコンビネーションは、
前記ＣＳＩ−ＲＳリソースセットからのＣＳＩ−ＲＳリソースのコンビネーションを含む、請求項９に記載の方法。
【請求項１２】
ＣＳＩ−ＲＳリソースコンビネーションにおけるリソースは、同一スロットに位置するか、
ＣＳＩ−ＲＳリソースコンビネーションにおける前記リソースは、連続スロットに位置するか、又は
前記ＣＳＩ−ＲＳリソースコンビネーションにおける前記リソースの間に、所定数のシンボルより小さい間隔を有する、請求項１１に記載の方法。
【請求項１３】
ＣＳＩ−ＲＳリソースコンビネーションのうちの少なくとも２つのリソースは、異なる電力比を有する、請求項９〜１２のいずれか１項に記載の方法。
【請求項１４】
前記方法はさらに、
前記端末機器に、少なくとも２つの送信設定指示（ＴＣＩ）を送信することを備え、
前記ＣＳＩ−ＲＳを送信することはさらに、
複数のＣＳＩ−ＲＳリソースコンビネーションにおける、前記少なくとも２つのＴＣＩにより示される少なくとも２つの疑似コロケーション（ＱＣＬ）設定を有する１つのＣＳＩ−ＲＳリソースコンビネーションを用いて、前記ＣＳＩ−ＲＳを送信することを備える、請求項９に記載の方法。
【請求項１５】
前記ＣＳＩ参照信号は、複数の送受信ポイント（ＴＲＰ）送信のためのマルチＴＲＰを通じて、送信される、請求項９〜１４のいずれか１項に記載の方法。
【請求項１６】
前記ＣＳＩ測定参照信号は、複数のパネル送信のためのマルチパネルを通じて、送信される、請求項９〜１４のいずれか１項に記載の方法。
【請求項１７】
送受信機と、プロセッサと、を備え、
前記プロセッサは、請求項１〜８のいずれか１項に記載の方法を実行するか、又は、前記送受信機を制御して、請求項１〜８のいずれか１項に記載の方法を実行させるように設定される、端末機器。
【請求項１８】
送受信機と、プロセッサと、を備え、
前記プロセッサは、請求項９〜１６のいずれか１項に記載の方法を実行するか、又は、前記送受信機を制御して、請求項９〜１６のいずれか１項に記載の方法を実行させるように設定される、ネットワーク機器。
【請求項１９】
プロセッサと、
前記プロセッサに結合されプログラムコードを有するメモリと
を備え、
前記プログラムコードが前記プロセッサで実行された場合、請求項１〜８のいずれか１項に記載の方法を実行する、端末機器。
【請求項２０】
プロセッサと、
前記プロセッサに結合されプログラムコードを有するメモリと
を備え、
前記プログラムコードが前記プロセッサで実行された場合、請求項９〜１６のいずれか１項に記載の方法を実行する、ネットワーク機器。
【発明の詳細な説明】
【技術分野】
【０００１】
本開示の非限定的且つ例示的な実施形態は、全体として、無線通信技術分野に関し、より具体的にはチャネル状態情報（ＣＳＩ）の測定に用いられる方法、デバイス及び装置、並びに、ＣＳＩ参照信号（ＣＳＩ−ＲＳ）の送信に用いられる方法、デバイス及び装置に関する。
【背景技術】
【０００２】
Ｎｅｗ  Ｒａｄｉｏ無線アクセスシステム（ＮＲシステム又はＮＲネットワークとも称する）は、次世代の通信システムである。第３世代パートナーシッププロジェクト（３ＧＰＰ）ワークグループの無線アクセスネットワーク（ＲＡＮ）＃７１会議では、ＮＲシステムの研究が承認された。ＮＲシステムは、１００Ｇｈｚまでの周波数帯域を考慮するもので、その目標は、技術レポートＴＲ  ３８．９１３で定義された全ての使用シナリオ、要求及び開発シナリオを解決する１つの技術的枠組みを作り上げることである。この技術的枠組みには、拡張モバイルブロードバンド、大規模マシンタイプ通信及び超高信頼・低遅延通信等の要求が含まれる。
【０００３】
２０１６年５月より、ＮＲに対しマルチアンテナ技術についての議論が開始されており、その内容はマルチアンテナ計画、ビーム管理，チャネル状態情報（ＣＳＩ）取得、参照信号及び疑似コロケーション（ＱＣＬ）などいくつかの方面に及んでいる。ＮＲシステムでは、単一ＴＲＰ送信及びマルチＴＲＰ送信の両方が合意されている。
【０００４】
ＮＲにおけるコードワード（ＣＷ）のレイヤへのマッピングについても、すでに以下のとおり合意されている。
・ＮＲは、ＵＥ毎に、物理下りリンク共有チャネル（ＰＤＳＣＨ）／物理上りリンク共有チャネル（ＰＵＳＣＨ）毎に、以下の数のＣＷを割り当ててサポートする。
−レイヤ１〜４の送信に対し：１つのＣＷ
−レイヤ５〜８の送信に対し：２つのＣＷ
・以下のような作業の想定を、合意として確認する。
−レイヤ３〜４の送信に対し、ＮＲは、ＵＥ毎に且つＰＤＳＣＨ／ＰＵＳＣＨ毎に、１つのＣＷを割り当ててサポートする。
・今後、さらに研究が進めば（ＦＦＳ）：２−ＣＷの３つのレイヤへのマッピング、及び２−ＣＷの４つのレイヤへのマッピングをサポートする。
・１つのＣＷに属するＤＭＲＳポートグループは、異なるＱＣＬ仮定を有することができる。
・１つの上りリンク（ＵＬ）又は下りリンク（ＤＬ）の関連する下りリンク制御指示（ＤＣＩ）は、ＣＷ毎に、１つのＭｏｄｕｌａｔｉｏｎ  ａｎｄ  Ｃｏｄｉｎｇ  Ｓｃｈｅｍｅ（ＭＣＳ）を備える。
・ＣＷ毎に１つのチャネル品質指標（ＣＱＩ）を算出する。
【０００５】
ＮＲにおけるＣＳＩリソースに関し、さらに以下のとおり合意されている。
・１つのＯＦＤＭシンボルに用いられる１ポート及び２ポートを有するＣＳＩ−ＲＳリソースは、ビーム管理に用いることができる。
・適用時に、ＵＥは、１つのＣＳＩ−ＲＳリソース内の全てのＣＳＩ−ＲＳポートが、「ＱＣＬタイプＡ」及び「ＱＣＬタイプＤ」に関し、疑似コロケーションされていると仮定することができる。
【０００６】
個別のＴＲＰに由来する１つのＰＤＳＣＨ及び複数のＰＤＳＣＨに関し、さらに次のように同意されている。
・ＮＲ受信に対し、以下の措置を採用する。
−１つのＮＲ−ＰＤＣＣＨが１つのＮＲ−ＰＤＳＣＨをスケジューリングし、個別のレイヤは、個別のＴＲＰにより送信される。
−複数のＮＲ−ＰＤＣＣＨでは、各ＮＲ−ＰＤＣＣＨが、対応するＮＲ−ＰＤＳＣＨをスケジューリングし、各ＮＲ−ＰＤＳＣＨは個別のＴＲＰから送信される。
−注意：１つのＮＲ−ＰＤＣＣＨが１つのＮＲ−ＰＤＳＣＨをスケジューリングする場合は、規格透明化（ｓｐｅｃ−ｔｒａｎｓｐａｒｅｎｔ）方式により行うことができ、この方式では、各レイヤは全てのＴＲＰから共に送信される。
−注意：以上の状況でのＣＳＩフィードバックの詳細については、個別に論じることが可能である。
【０００７】
マルチＴＲＰ／パネル送信は優先度が下げられたため、バージョン１５では詳細に議論されていない。したがって、現在のＮＲ、ＣＳＩ−ＲＳの設定及び送信設定指示（ＴＣＩ）の状態設定は、１つのＴＲＰ／パネルに基づいている。マルチＴＲＰ送信について、ＴＲＰにＱＣＬを行わない。したがって、単一ＴＲＰ送信のＣＳＩ測定及びレポートの解決手段は、マルチＴＲＰ／パネル送信に応用することができない。
【発明の概要】
【発明が解決しようとする課題】
【０００８】
このため、本開示では、従来技術における少なくとも一部の問題を軽減し、又は少なくとも和らげるために、無線通信システムにおけるＣＳＩ測定の新しい解決手段を提供する。
【課題を解決するための手段】
【０００９】
本開示の第１の態様では、無線通信システムにおけるＣＳＩ測定に用いられる方法が提供される。該方法は、ネットワーク機器からＣＳＩ参照信号（ＣＳＩ−ＲＳ）リソース設定を受信することと、複数のＣＳＩ−ＲＳリソースコンビネーションのうちの１つのＣＳＩ−ＲＳリソースコンビネーションを用いて、ＣＳＩ測定を実行することとを備えることができる。ＣＳＩ−ＲＳリソース設定は、複数のＣＳＩ−ＲＳリソースを備えるＣＳＩ−ＲＳリソースセットを示し、複数のＣＳＩ−ＲＳリソースコンビネーションは、事前定義のコンビネーションルールに基づき、ＣＳＩ−ＲＳリソースセットから決定される。
【００１０】
本開示の第２の態様では、無線通信システムにおけるＣＳＩ−ＲＳの送信に用いられる方法が提供される。該方法は、端末機器にＣＳＩ−ＲＳリソース設定を送信することと、複数のＣＳＩ−ＲＳリソースコンビネーションのうちの１つのＣＳＩ−ＲＳリソースコンビネーションを用いて、ＣＳＩ−ＲＳを送信することとを備えることができる。ＣＳＩ−ＲＳリソース設定は、複数のＣＳＩ−ＲＳリソースを備えるＣＳＩ−ＲＳリソースセットを示し、複数のＣＳＩ−ＲＳリソースコンビネーションは、事前定義のコンビネーションルールに基づき、ＣＳＩ−ＲＳリソースセットから決定される。
【００１１】
本開示の第３の態様では、ＣＳＩ測定に用いるように設定される端末機器が提供される。該端末機器は、送受信機と、プロセッサとを備えることができる。該プロセッサは、以下の方法を実行するか、又は、送受信機を制御して以下の方法を実行させるように設定される。すなわち、ネットワーク機器より、複数のＣＳＩ−ＲＳリソースを備えるＣＳＩ−ＲＳリソースセットを示すＣＳＩ−ＲＳリソース設定を受信し、複数のＣＳＩ−ＲＳリソースコンビネーションのうちの１つのＣＳＩ−ＲＳリソースコンビネーションを用いてＣＳＩ測定を実行することを、実行するか又は実行させる。複数のＣＳＩ−ＲＳリソースコンビネーションは、事前定義のコンビネーションルールに基づきＣＳＩ−ＲＳリソースセットから決定される。
【００１２】
本開示の第４の態様では、ＣＳＩ−ＲＳの送信に用いるように設定されるネットワーク機器が提供される。該ネットワーク機器は、送受信器と、プロセッサとを備えることができる。該プロセッサは、以下の方法を実行するか、又は、送受信機を制御して以下の方法を実行させるように設定される。すなわち、端末機器に、複数のＣＳＩ−ＲＳリソースを備えるＣＳＩ−ＲＳリソースセットを示すＣＳＩ−ＲＳリソース設定を送信し、複数のＣＳＩ−ＲＳリソースコンビネーションのうちの１つのＣＳＩ−ＲＳリソースコンビネーションを用いてＣＳＩ−ＲＳを送信することを、実行するか又は実行させる。複数のＣＳＩ−ＲＳリソースコンビネーションは、事前定義のコンビネーションルールに基づきＣＳＩ−ＲＳリソースセットから決定される。
【００１３】
本開示の第５の態様では、端末機器が提供される。端末機器は、プロセッサと、メモリとを備えることができる。メモリは、プロセッサに結合されプログラムコードを有することができ、該プログラムコードはプロセッサで実行された場合、端末機器に、第１の態様のいずれかの実施形態にかかる方法の操作を実行させる。
【００１４】
本開示の第６の態様では、ネットワーク機器が提供される。ネットワーク機器は、プロセッサと、メモリとを備えることができる。メモリは、プロセッサに結合されプログラムコードを有することができ、該プログラムコードはプロセッサで実行された場合、ネットワーク機器に、第２の態様のいずれかの実施形態にかかる方法の操作を実行させる。
【００１５】
本開示の第７の態様では、コンピュータプログラムコードが体現されるコンピュータ可読記憶媒体が提供される。該コンピュータプログラムコードは、実行された場合、装置に、第１の態様のいずれかの実施形態にかかる方法の動作を実行させるように設定される。
【００１６】
本開示の第８の態様では、コンピュータプログラムコードが体現されるコンピュータ可読記憶媒体が提供される。該コンピュータプログラムコードは、実行された場合、装置に、第２の態様のいずれかの実施形態にかかる方法の動作を実行させるように設定される。
【００１７】
本開示の第９の態様では、コンピュータプログラム製品が提供される。該コンピュータプログラム製品は、第７の態様のコンピュータ可読記憶媒体を備える。
【００１８】
本開示の第１０の態様では、コンピュータプログラム製品が提供される。該コンピュータプログラム製品は、第８の態様のコンピュータ可読記憶媒体を備える。
【００１９】
本開示の実施形態により、ＣＳＩ測定に用いられる解決手段が提供される。該解決手段によって、マルチＴＲＰ／パネル送信のためのＣＳＩ測定をサポートすることができる。
【図面の簡単な説明】
【００２０】
以下、図面を参照して実施形態を詳細に説明し、本開示の上述の及びその他の特徴をさらに明らかにする。全ての図において、同一の図面符号は、同一又は類似の要素を示す。
【００２１】
【図１】本開示のマルチＴＲＰ送信を実現可能な例示的シナリオを示す図である。
【００２２】
【図２】本開示のいくつかの実施形態にかかる、端末機器でのＣＳＩ測定に用いられる方法のフローチャートを示す図である。
【００２３】
【図３】本開示のいくつかの実施形態にかかる、ＣＳＩ−ＲＳに用いられるＴＣＩ設定を示す図である。
【００２４】
【図４】本開示のいくつかの実施形態にかかる、ネットワーク機器でＣＳＩ−ＲＳを送信するための方法のフローチャートを示す図である。
【００２５】
【図５】本開示のいくつかの実施形態にかかる、端末機器でのＣＳＩ測定に用いられる装置のブロック図を概略的に示す図である。
【００２６】
【図６】本開示のいくつかの実施形態にかかる、ネットワーク機器でＣＳＩ−ＲＳを送信するための装置のブロック図を概略的に示す図である。
【００２７】
【図７】本開示のいくつかの実施形態にかかる、デュアルＴＲＰ送信においてＰＤＳＣＨに用いられるＴＣＩ設定を示す図である。
【００２８】
【図８】本明細書で説明する、ＵＥなどの端末機器として体現可能であるか又はそれに設置可能な装置８１０、及びｇＮＢなどのネットワーク機器として体現可能であるか又はそれに設置可能な装置８２０の簡略化されたブロック図を概略的に示す図である。
【発明を実施するための形態】
【００２９】
以下、図面を参照しつつ実施形態を通して、本開示で提供する解決手段を詳細に説明する。理解すべき点として、これらの実施形態は、当業者が本開示をより適切に理解し実現することができるようにするためのものであり、本開示の範囲に対する何らかの限定を意図するものではない。
【００３０】
図面において、本開示の各実施形態はブロック図、フローチャート及びその他の図によって示されている。フローチャート又はブロック図における各ブロックは、指定された論理機能を実行するための１つの又は複数の実行可能な指示を備えるモジュール、プログラム又はコード部分を表すことができ、本開示において、割り当て可能なブロックは点線で示される。また、これらのブロックは、方法を実行するためのステップを特定の順序で示しているが、実際は必ずしも、示された順序に厳格に従い実行する必要はない。例えば、反対の順序で又は同時に実行することができる。これは対応する操作の性質により決まる。さらに注意すべき点として、ブロック図及び／又はフローチャート内の各ブロック及びその組合せは、指定された機能／操作を実行するための、専用ハードウェアに基づくシステムにより実現することができ、又は専用ハードウェアとコンピュータの指示との組合せにより実現することができる。
【００３１】
文中で別に定義がある場合を除き、請求項において使用される全ての用語は、本技術分野での一般的な意味に基づき解釈される。別に明示されていない限り、「１つの（ａ）／１つの（ａｎ）／該（ｔｈｅ）／前記（ｓａｉｄ）［要素、デバイス、コンポーネント、装置、ステップ等］」の全ての引用は、前記要素、デバイス、コンポーネント、装置、ユニット、ステップ等の少なくとも１つの実例を指すものであると広く解釈されるべきであり、複数のこうしたデバイス、コンポーネント、装置、ユニット、ステップ等を排除するものではない。また、文中で使用される不定冠詞「１つの（ａ）／１つの（ａｎ）」は、複数のこうしたステップ、ユニット、モジュール、デバイス及びオブジェクト等を排除するものではない。
【００３２】
また、本開示の文脈において、ユーザ機器（ＵＥ）は端末、移動端末（ＭＴ）、加入者局装置、携帯式加入者局装置、移動局（ＭＳ）又はアクセス端末（ＡＴ）を指すことができ、また、ＵＥ、端末、ＭＴ、ＳＳ、携帯式加入者局装置、ＭＳ又はＡＴの一部又は全部の機能を含めることができる。また、本開示の文脈において、用語「ＢＳ」は、例えばノードＢ（ＮｏｄｅＢ又はＮＢ）、進化型ＮｏｄｅＢ（ｅＮｏｄｅＢ又はｅＮＢ）、ｇＮＢ（次世代ノードＢ）、無線ヘッド（ＲＨ）、リモート無線ヘッド（ＲＲＨ）、中継又は低電力ノード（例えばフェムト、ピコ等）を表すことができる。
【００３３】
上述したように、ＮＲシステムのバージョン１５において、ＣＳＩ−ＲＳ設定及びＴＣＩ状態設定は、１つのＴＲＰ／パネルに基づく。一方、マルチＴＲＰ送信について、ＴＲＰにＱＣＬを行わない。したがって、単一ＴＲＰ送信のＣＳＩ測定及びレポートの解決手段は、マルチＴＲＰ／パネル送信に応用することができない。
【００３４】
本開示の実施形態では、ＣＳＩ測定に用いられる解決手段が提供される。基本的概念は、ネットワーク機器において、複数のＣＳＩ−ＲＳリソースを備えるＣＳＩ−ＲＳリソースセットを示すＣＳＩ−ＲＳリソース設定を送信し、ネットワーク機器及び端末機器の双方がＣＳＩ−ＲＳリソースセットから複数のＣＳＩ−ＲＳリソースコンビネーションを決定し、ＣＳＩ測定に用いる１つのコンビネーションを選択するというものである。ＣＳＩ−ＲＳリソースセット及び事前定義のコンビネーションルールにより、マルチＴＰＲ／マルチパネル送信のためのＣＳＩ測定をサポートすることができる。また、異なる態様において、ＰＤＳＣＨ又はＰＤＣＣＨに用いられるＴＣＩ設定の解決手段も提供される。
【００３５】
本開示のいくつかの実施形態において、端末機器はネットワーク機器より、複数のＣＳＩ−ＲＳリソースを備えるＣＳＩ−ＲＳリソースセットを示すＣＳＩ−ＲＳリソース設定を受信し、複数のＣＳＩ−ＲＳリソースコンビネーションのうちの１つのＣＳＩ−ＲＳリソースコンビネーションを用いてＣＳＩ測定を実行する。該複数のＣＳＩ−ＲＳリソースコンビネーションは、事前定義のコンビネーションルールに基づきＣＳＩ−ＲＳリソースセットから決定される。ネットワーク機器は端末機器に、ＣＳＩ−ＲＳリソースセットを示すＣＳＩ−ＲＳリソース設定を送信する。該ＣＳＩ−ＲＳリソースセットは複数のＣＳＩ−ＲＳリソースを備える。さらに、事前定義のコンビネーションルールに基づきＣＳＩ−ＲＳリソースセットから決定された複数のＣＳＩ−ＲＳリソースコンビネーションのうちの１つのＣＳＩ−ＲＳリソースを用いて、ＣＳＩ−ＲＳを送信する。
【００３６】
本開示の基本的概念及び実施形態は、マルチＴＲＰ送信に用いることができる点に注意されたい。これらをマルチパネル送信に用いた場合、マルチＴＲＰ送信のためのそれぞれのＴＲＰを通じてＣＳＩ−ＲＳ送信を実行し、且つこれらのＴＲＰについてそれぞれＣＳＩ測定を行う。さらに理解すべき点として、本明細書に開示の基本的概念及び実施形態は、複数のパネル送信にも用いることができる。ここで、パネルとは、ネットワーク機器及び／又はユーザ端末機器上の一群のアンテナを指し、複数のパネル送信（マルチパネル送信）とは、単一のユーザ機器に用いられる複数のパネルで送信を行うことを意味する。この基本的概念及び実施形態をマルチパネル送信に用いた場合、それぞれのＴＲＰについてＣＳＩ測定を行うのではなく、マルチパネル送信のためのそれぞれのパネルを通じてＣＳＩ−ＲＳ送信を実行し、これらのパネルについてそれぞれＣＳＩ測定を行う。
【００３７】
以下、図１〜図８を参照して、マルチＴＲＰ送信を例に、本開示で提供する解決手段について詳細に説明する。しかしながら、理解すべき点として、以下の実施形態は説明を目的として示されるものにすぎず、本開示はこれに限定されない。本開示の実施形態は、マルチパネル送信にも用いることができる。さらに具体的には、本明細書で説明する異なる実施形態は、技術的観点から可能であれば、単独で或いは別々に、又は任意の適切な方式の組み合せにより、実現することができる。
【００３８】
図１は本開示のマルチＴＲＰ送信を実現可能な例示的シナリオを示す。図１には、デュアルＴＲＰ送信が図示されており、ここで１つのＵＥ  １１０は２つのＴＲＰからサービスを提供される。図に示すように、ＵＥ  １１０はＴＲＰ１  １２０及びＴＲＰ２  １３０の双方から、例えばＣＳＩ−ＲＳのような信号を同時に受信することができる。本開示の実施形態は、このような例示的状況に関してのみ、ＣＳＩ測定に用いられる新しい解決手段を提供する。
【００３９】
図２は、本開示のいくつかの実施形態にかかる、端末機器でＣＳＩ測定を行うための方法のフローチャートを概略的に示す。方法２００は、端末機器（例えば、ＵＥ等の端末機器又は他の類似デバイス）において実行することができる。
【００４０】
図２に示すように、ステップ２１０において、端末機器はネットワーク機器からＣＳＩ−ＲＳリソース設定を受信する。ここで、ＣＳＩ−ＲＳリソース設定は、複数のＣＳＩ−ＲＳリソースを備えるＣＳＩ−ＲＳリソースセットを示す。本開示の実施形態において、ＣＳＩ−ＲＳリソース設定は、端末機器のために設定されるＣＳＩ−ＲＳリソースセットを示すために、端末機器に送信される。ＣＳＩ−ＲＳリソース設定は、例えばＲＲＣシグナリング、ＭＡＣ  ＣＥ又は物理層シグナリングなど、さまざまな方法で端末機器に送信することができる。
【００４１】
続いて、ステップ２２０において、端末機器は複数のＣＳＩ−ＲＳリソースコンビネーションのうちの１つのＣＳＩ−ＲＳリソースコンビネーションを用いて、ＣＳＩ測定を実行する。ここで複数のＣＳＩ−ＲＳリソースコンビネーションは、事前定義のコンビネーションルールに基づき、ＣＳＩ−ＲＳリソースセットから決定される。本開示の実施形態において、所定のコンビネーションルールは、ＣＳＩ−ＲＳリソース設定が示すＣＳＩ−ＲＳリソースセットから、複数のＣＳＩ−ＲＳリソースコンビネーションを決定するために用いることができる。所定のコンビネーションルールは、ネットワーク機器及び端末機器のいずれにとっても既知のものであり、このような方法により、双方は同一のＣＳＩ−ＲＳリソースセットから、同一のＣＳＩ−ＲＳリソースコンビネーションを決定することができる。その後、例えば、対応するコンビネーションのチャネル品質に基づき、複数のＣＳＩ−ＲＳリソースコンビネーションから、複数のＣＳＩ−ＲＳリソースコンビネーションのうちの１つのＣＳＩ−ＲＳリソースコンビネーションを選択し、ＣＳＩ測定に用いることができる。
【００４２】
本開示のいくつかの実施形態において、複数のＣＳＩ−ＲＳリソースコンビネーションのうちの各ＣＳＩ−ＲＳリソースコンビネーションは、ＣＳＩ−ＲＳリソースセットのうちの１つのＣＳＩ−ＲＳリソースからのポートのコンビネーションを備える。言い換えると、所定のコンビネーションルールによれば、Ｎ個のポートを有する１つのＣＳＩ−ＲＳリソースは、Ｍ個のサブセットに分解（ｄｉｓａｇｇｒｅｇａｔｅ）され、各サブセットはＮ／Ｍ個のポートを備える。そして上述のコンビネーションは、これらのサブセットのポートを組み合わせたものからであってよい。例えば、デュアルＴＲＰ送信について、ビーム管理を目的として、端末機器のために、１つのシンボル内に２つ又は４つのポートを有するＣＳＩ−ＲＳリソースセットを設定することができる。このような状況において、２つのポートを有するＣＳＩ−ＲＳリソースセットについて、１つのポートをＴＲＰ１、もう１つのポートをＴＲＰ２に用いることができる。また、これら２つのポートは、Ｃｏｄｅ  Ｄｏｍａｉｎ  Ｍｕｌｔｉｐｌｅｘｉｎｇ（ＣＤＭ）でなくてよい。もう１つの例示として、４つのポートを有するＣＳＩ−ＲＳリソースセットについて、２つのポートをＴＲＰ１に、他の２つのポートをＴＲＰ２に用いることができる。その後、さらに端末機器及びネットワーク機器の双方にとって既知の所定のコンビネーションルールに基づき、集約された（ａｇｇｒｅｇａｔｅｄ）サブセットから、ＴＲＰ１及びＴＲＰ２に用いられる複数のＣＳＩ−ＲＳリソースコンビネーションを取得することができる。また、異なるサブセットは、異なる電力比を有することができ、言い換えれば、ＣＳＩ−ＲＳリソースコンビネーションのうちの少なくとも２つのリソースは、異なる電力比を有することができる。
【００４３】
本開示のいくつかの実施形態において、複数のＣＳＩ−ＲＳリソースコンビネーションのうちの各ＣＳＩ−ＲＳリソースコンビネーションは、ＣＳＩ−ＲＳリソースセットからのＣＳＩ−ＲＳリソースのコンビネーションを備える。言い換えると、所定のコンビネーションルールによれば、Ｋ個のＣＳＩ−ＲＳリソースを有する１つのＣＳＩ−ＲＳリソースセットは、Ｌ個のサブセットに分解するかグループ分けすることができ、各サブセットはＫ／Ｌ個のリソースを備える。そして上述のコンビネーションは、これらのサブセットのリソースを組み合わせたものからであってよい。例えば、デュアルＴＲＰ送信について、ＣＳＩ−ＲＳリソースセットに含まれるＣＳＩ−ＲＳリソースの数Ｋ｛例えば、Ｒ１，Ｒ２，…ＲＫ−１，ＲＫ｝は２の倍数である。したがって、Ｋ／２個のＣＳＩリソースから、端末機器及びネットワーク機器の双方にとっていずれも既知の所定のコンビネーションルールに基づき、複数のリソースコンビネーション（ペア）を形成することができ、また、各ペアは２つのＣＳＩ−ＲＳリソースを備える。例えば、ＣＳＩ−ＲＳリソースペアは、２つの連続するインデックス｛（Ｒ１，Ｒ２）、（Ｒ３，Ｒ４）、…、（ＲＫ−１，ＲＫ）｝を有するＣＳＩ−ＲＳリソースを備えることができる。さらに例えば、Ｋ個のＣＳＩ−ＲＳリソースは２つのサブセット｛Ｒ１，Ｒ２、…ＲＫ／２−１、ＲＫ／２｝及び｛ＲＫ／２＋１，ＲＫ／２＋２、…ＲＫ−１、ＲＫ｝に分けることができ、ＣＳＩ−ＲＳリソースペアは、２つのサブセットからのＣＳＩ−ＲＳリソース｛（Ｒ１，ＲＫ／２＋１）、（Ｒ２，ＲＫ／２＋２）、…、（ＲＫ／２−１，ＲＫ−１）、（ＲＫ／２，ＲＫ）｝を備えることができる。また、異なるサブセットは異なる電力比を有することができ、さらに言い換えれば、ＣＳＩ−ＲＳリソースコンビネーションのうちの少なくとも２つのリソースは、異なる電力比を有することができる。
【００４４】
本開示のいくつかの実施形態において、特にビーム管理、ＣＳＩ取得、ビームスイーピング又はビームトラッキングについて、ＣＳＩ−ＲＳリソースコンビネーションにおけるリソースは、同一スロット若しくは連続スロットに位置し、又はＣＳＩ−ＲＳリソースコンビネーションにおけるリソースは、その間に所定数のシンボルより小さい間隔を有する。例えば、デュアルＴＲＰ送信状況でのビーム管理について、ＣＳＩ−ＲＳリソースペアのうちの２つのＣＳＩリソースは、１つのシンボルにおいて周波数分割多重化され、各ＣＳＩ−ＲＳリソースは１つ又は２つのポートを備えることができる。
【００４５】
本開示のいくつかの実施形態において、ＣＳＩ−ＲＳリソースコンビネーションにおけるＣＳＩ−ＲＳポートは、非ＱＣＬであってよく、したがって、ステップ３３０では、端末機器はさらにネットワーク機器から、少なくとも２つの送信設定指示（ＴＣＩ）を受信することができる。図３に示すように、ＣＳＩリソースコンビネーションのうちの少なくとも２つのＣＳＩ−ＲＳポートそれぞれについての２つのＴＣＩは、ネットワーク機器から端末機器に送信することができる。少なくとも２つのＴＣＩ、特に２つのＴＣＩ状態アイデンティティ（ＩＤ）は、１つのＣＳＩ−ＲＳリソースセットから分解された少なくとも２つのサブセットに向けられる。したがって、ＣＳＩ測定を実行する際、少なくとも２つのＴＣＩが示す少なくとも２つの疑似コロケーション（ＱＣＬ）設定をさらに用いることが可能である。言い換えれば、複数のＣＳＩ−ＲＳリソースコンビネーションにおける、少なくとも２つのＴＣＩにより示される少なくとも２つの疑似コロケーション（ＱＣＬ）設定を有する１つのＣＳＩ−ＲＳリソースコンビネーションを用いて、ＣＳＩ測定を実行することができる。
【００４６】
図４はさらに、本開示の実施形態にかかる、ＣＳＩ−ＲＳを送信するための方法のフローチャートを示す。方法４００は、ネットワーク機器（例えば、ｇＮＢ等の基地局又は他の類似デバイス）において実行することができる。
【００４７】
図４に示すように、まずステップ４１０において、ネットワーク機器は端末機器にＣＳＩ−ＲＳリソース設定を送信することができる。ここで、ＣＳＩ−ＲＳリソース設定は、複数のＣＳＩ−ＲＳリソースを備えるＣＳＩ−ＲＳリソースセットを示す。本開示の実施形態において、端末機器のために設定されるＣＳＩ−ＲＳリソースセットは、ＣＳＩ−ＲＳリソース設定により示すことができる。ＣＳＩ−ＲＳ設定は、例えばＲＲＣシグナリング、ＭＡＣ  ＣＥ又は物理層シグナリングなど、さまざまな方法で端末機器に送信することができる。
【００４８】
その後、ステップ４２０において、ネットワーク機器は複数のＣＳＩ−ＲＳリソースコンビネーションのうちの１つのＣＳＩ−ＲＳリソースコンビネーションを用いて、ＣＳＩ−ＲＳを送信する。ここで複数のＣＳＩ−ＲＳリソースコンビネーションは、事前定義のコンビネーションルールに基づき、ＣＳＩ−ＲＳリソースセットから決定される。本開示の実施形態において、所定のコンビネーションルールは、端末機器のために設定されるＣＳＩ−ＲＳリソースセットから、複数のＣＳＩ−ＲＳリソースコンビネーションを決定するために用いることができる。所定のコンビネーションルールは、ネットワーク機器及び端末機器のいずれにとっても既知のものであり、このような方法により、双方は同一のＣＳＩ−ＲＳリソースセットから、同一のＣＳＩ−ＲＳリソースコンビネーションを決定することができる。その後、例えば、対応するコンビネーションのチャネル品質に基づき、複数のＣＳＩ−ＲＳリソースコンビネーションから、複数のＣＳＩ−ＲＳリソースコンビネーションのうちの１つのＣＳＩ−ＲＳリソースコンビネーションを選択し、ＣＳＩ測定に用いることができる。
【００４９】
本開示のいくつかの実施形態において、複数のＣＳＩ−ＲＳリソースコンビネーションのうちの各ＣＳＩ−ＲＳリソースコンビネーションは、ＣＳＩ−ＲＳリソースセットにおける１つのＣＳＩ−ＲＳリソースからのポートのコンビネーションを備える。言い換えると、所定のコンビネーションルールによれば、Ｎ個のポートを有する１つのＣＳＩ−ＲＳリソースは、Ｍ個のサブセットに分解され、各サブセットはＮ／Ｍ個のポートを備える。そして上述のコンビネーションは、これらのサブセットのポートを組み合わせたものからであってよい。
【００５０】
本開示のいくつかの実施形態において、複数のＣＳＩ−ＲＳリソースコンビネーションのうちの各ＣＳＩ−ＲＳリソースコンビネーションは、ＣＳＩ−ＲＳリソースセットからのＣＳＩ−ＲＳリソースのコンビネーションを備える。言い換えると、所定のコンビネーションルールによれば、Ｋ個のＣＳＩ−ＲＳリソースを有する１つのＣＳＩ−ＲＳリソースセットは、Ｌ個のサブセットに分解するかグループ分けすることができ、各サブセットはＫ／Ｌ個のリソースを備える。そして上述のコンビネーションは、これらのサブセットのリソースを組み合わせたものからであってよい。
【００５１】
本開示のいくつかの実施形態において、ＣＳＩ−ＲＳリソースコンビネーションにおけるリソースは、同一スロットに位置する。選択的に、ＣＳＩ−ＲＳリソースコンビネーションにおけるリソースは、連続スロットに位置する。又は選択的に、ＣＳＩ−ＲＳリソースコンビネーションにおけるリソースは、その間に所定数のシンボルより小さい間隔を有する。
【００５２】
本開示のいくつかの実施形態において、ＣＳＩ−ＲＳリソースコンビネーションのうちの少なくとも２つのリソースは、異なる電力比を有することができる。
【００５３】
本開示のいくつかの実施形態において、ステップ４３０では、端末機器はさらに端末機器に、ＣＳＩリソースコンビネーションにおける少なくとも２つのＣＳＩ−ＲＳポートの少なくとも２つの送信設定指示（ＴＣＩ）を送信することができる。このような状況では、少なくとも２つのＴＣＩが示す少なくとも２つのＱＣＬ設定を用いて、ＣＳＩ−ＲＳ送信を実行することができる。言い換えれば、複数のＣＳＩ−ＲＳリソースコンビネーションにおける、少なくとも２つのＴＣＩにより示される少なくとも２つのＱＣＬ設定を有する１つのＣＳＩ−ＲＳリソースコンビネーションを用いて、ＣＳＩ−ＲＳを送信することができる。
【００５４】
本開示のいくつかの実施形態では、複数の送受信ポイント（ＴＲＰ）送信のためのマルチＴＲＰを通じて、ＣＳＩ参照信号を送信することができる。
【００５５】
本開示のいくつかの実施形態では、複数のパネル送信のためのマルチパネルを通じて、ＣＳＩ測定参照信号を送信することができる。
【００５６】
以上、図４を参照して、ネットワーク側でＣＳＩ−ＲＳを送信する例示的方法を簡単に説明した。しかしながら、ネットワーク機器における操作は、基本的に、端末機器における操作と対応しており、操作に関する詳細については、図１〜図３を参照して行った説明を参照できることを理解されたい。
【００５７】
図５は、本開示のいくつかの実施形態にかかる、端末機器でＣＳＩ測定を行うための装置のブロック図を概略的に示す。方法５００は、端末機器（例えば、ＵＥ又は他の類似の端末機器）において実現することができる。
【００５８】
図５に示すように、装置５００は、設定受信モジュール５１０と、ＣＳＩ測定レポート５２０とを備えることができる。設定受信モジュール５１０は、ネットワーク機器からＣＳＩ−ＲＳリソース設定を受信するように設定される。ここで、ＣＳＩ−ＲＳリソース設定は、複数のＣＳＩ−ＲＳリソースを備えるＣＳＩ−ＲＳリソースセットを示す。ＣＳＩ測定モジュール５２０は、複数のＣＳＩ−ＲＳリソースコンビネーションのうちの１つのＣＳＩ−ＲＳリソースコンビネーションを用いて、ＣＳＩ測定を実行するように設定される。ここで複数のＣＳＩ−ＲＳリソースコンビネーションは、事前定義のコンビネーションルールに基づき、ＣＳＩ−ＲＳリソースセットから決定することができる。
【００５９】
本開示のいくつかの実施形態において、複数のＣＳＩ−ＲＳリソースコンビネーションのうちの各ＣＳＩ−ＲＳリソースコンビネーションは、ＣＳＩ−ＲＳリソースセットにおける１つのＣＳＩ−ＲＳリソースからのポートのコンビネーションを備えることができる。
【００６０】
本開示のいくつかの実施形態において、複数のＣＳＩ−ＲＳリソースコンビネーションのうちの各ＣＳＩ−ＲＳリソースコンビネーションは、ＣＳＩ−ＲＳリソースセットからのＣＳＩ−ＲＳリソースのコンビネーションを備えることができる。
【００６１】
本開示のいくつかの実施形態において、ＣＳＩ−ＲＳリソースコンビネーションにおけるリソースは同一スロットに位置することができ、又は、ＣＳＩ−ＲＳリソースコンビネーションにおけるリソースは連続スロットに位置することができ、又はＣＳＩ−ＲＳリソースコンビネーションにおけるリソースは、その間に所定数のシンボルより小さい間隔を有することができる。
【００６２】
本開示のいくつかの実施形態において、ＣＳＩ−ＲＳリソースコンビネーションのうちの少なくとも２つのリソースは、異なる電力比を有することができる。
【００６３】
本開示のいくつかの実施形態において、装置５００はさらに、ネットワーク機器から、少なくとも２つの送信設定指示（ＴＣＩ）を受信するように設定されるＴＣＩ受信モジュール５３０を備えることができる。このような実施形態では、ＣＳＩ測定モジュールはさらに、複数のＣＳＩ−ＲＳリソースコンビネーションにおける、少なくとも２つのＴＣＩにより示される少なくとも２つの疑似コロケーション（ＱＣＬ）設定を有する１つのＣＳＩ−ＲＳリソースコンビネーションを用いて、ＣＳＩ測定を実行するように設定することができる。
【００６４】
本開示のいくつかの実施形態では、ＣＳＩ測定は、複数の送受信ポイント（ＴＲＰ）送信のためのマルチＴＲＰについて、実行することができる。
【００６５】
本開示のいくつかの実施形態では、ＣＳＩ測定は、複数のパネル送信のためのマルチパネルについて、実行することができる。
【００６６】
図６は、本開示のいくつかの実施形態にかかる、ネットワーク機器でＣＳＩ−ＲＳを送信するための装置のブロック図を概略的に示す。装置６００は、ネットワーク機器又はノード（例えば、ｇＮＢ又は他の類似のネットワーク機器）において実現することができる。
【００６７】
図６に示すように、装置６００は、設定送信モジュール６１０と、ＣＳＩ−ＲＳ送信モジュール６２０とを備えることができる。設定送信モジュール６１０は、端末機器にＣＳＩ参照信号（ＣＳＩ−ＲＳ）リソース設定を送信するように設定することができる。ここで、ＣＳＩ−ＲＳリソース設定は、複数のＣＳＩ−ＲＳリソースを備えるＣＳＩ−ＲＳリソースセットを示す。ＣＳＩ−ＲＳ送信モジュール６２０は、複数のＣＳＩ−ＲＳリソースコンビネーションのうちの１つのＣＳＩ−ＲＳリソースコンビネーションを用いて、ＣＳＩ−ＲＳを送信するように設定することができる。ここで複数のＣＳＩ−ＲＳリソースコンビネーションは、事前定義のコンビネーションルールに基づき、ＣＳＩ−ＲＳリソースセットから決定することができる。
【００６８】
本開示のいくつかの実施形態において、複数のＣＳＩ−ＲＳリソースコンビネーションのうちの各ＣＳＩ−ＲＳリソースコンビネーションは、ＣＳＩ−ＲＳリソースセットにおける１つのＣＳＩ−ＲＳリソースからのポートのコンビネーションを備えることができる。
【００６９】
本開示のいくつかの実施形態において、複数のＣＳＩ−ＲＳリソースコンビネーションのうちの各ＣＳＩ−ＲＳリソースコンビネーションは、ＣＳＩ−ＲＳリソースセットからのＣＳＩ−ＲＳリソースのコンビネーションを備えることができる。
【００７０】
本開示のいくつかの実施形態において、ＣＳＩ−ＲＳリソースコンビネーションにおけるリソースは、同一スロットに位置することができる。選択的に、ＣＳＩ−ＲＳリソースコンビネーションにおけるリソースは、連続スロットに位置する。又は選択的に、ＣＳＩ−ＲＳリソースコンビネーションにおけるリソースは、その間に所定数のシンボルより小さい間隔を有することができる。
【００７１】
本開示のいくつかの実施形態において、複数のＣＳＩ−ＲＳリソースコンビネーションのうちの少なくとも２つのＣＳＩ−ＲＳリソースコンビネーションは、異なる電力比を有することができる。
【００７２】
本開示のいくつかの実施形態では、装置６００はさらに、端末機器に、少なくとも２つの送信設定指示（ＴＣＩ）を送信するように設定されるＴＣＩ送信モジュール６３０を備えることができる。ＣＳＩ−ＲＳ送信モジュールはさらに、複数のＣＳＩ−ＲＳリソースコンビネーションにおける、少なくとも２つのＴＣＩにより示される少なくとも２つの疑似コロケーション（ＱＣＬ）設定を有する１つのＣＳＩ−ＲＳリソースコンビネーションを用いて、ＣＳＩ−ＲＳを送信するように設定することができる。
【００７３】
本開示のいくつかの実施形態において、ＣＳＩ参照信号は、複数の送受信ポイント（ＴＲＰ）送信のためのマルチＴＲＰを通じて、送信することができる。
【００７４】
本開示のいくつかの実施形態において、ＣＳＩ測定参照信号は、複数のパネル送信のためのマルチパネルを通じて、送信することができる。
【００７５】
以上、図５及び図６を参照して装置５００及び６００を簡単に説明した。装置５００〜装置６００は、図１〜図４を参照して述べた機能を実現するように設定できる点に注意されたい。したがって、これらの装置におけるモジュールの操作の詳細は、図１〜図４の方法の対応するステップに関する説明を参照することができる。
【００７６】
また、装置５００及び装置６００のコンポーネントは、ハードウェア、ソフトウェア、ファームウェア及び／又はそれらの任意の組合せにより体現できる点に注意されたい。例えば、装置５００及び６００のコンポーネントは、それぞれ、回路、プロセッサ又はその他任意の適切に選択されたデバイスにより実現することができる。
【００７７】
別の態様ではさらに、マルチＴＲＰ／パネル送信に用いられるＴＣＩ設定の解決手段が提供される。該解決手段は単独で実現することができ、又は上述のＣＳＩ測定の解決手段と結合して実現することができる。この態様において、基本的概念は、ネットワーク機器から、例えばＰＤＳＣＨ又はＰＤＣＣＨのような信号送信に用いるために、２つのＴＣＩを提供するというものである。
【００７８】
本開示のいくつかの実施形態において、図７に示すように、少なくとも２つの送信設定指示（ＴＣＩ）を、１つの物理下りリンク制御チャネル（ＰＤＣＣＨ）においてネットワーク機器から送信することができ、ＰＤＣＣＨとＰＤＳＣＨとのスケジューリングオフセットと、スケジューリング後に所定方向に送信を開始するのに必要な閾値時間との関係に基づき、ＰＤＳＣＨを受信することができる。以下、デュアルＴＲＰ送信を例として、本開示における本態様について説明する。しかしながら、本開示の実施形態は、２つより多いＴＲＰに関わるマルチパネル送信又はマルチＴＲＰ送信においても用いることができる点に注意されたい。
【００７９】
デュアルＴＲＰ送信について、２つのＴＲＰが異なるサービスセル又は異なる帯域幅部分（ＢＷＰ）からである場合、１つのＰＤＳＣＨには、２つの異なるサービスセル又はＢＷＰについて、それぞれ２つのＴＣＩ状態ＩＤを設定することができる。スケジューリングオフセットが閾値時間以上である場合、端末機器は、ＴＣＩにより示されるＱＣＬ設定に関して、ＰＤＳＣＨの各復調用参照信号（ＤＭＲＳ）のポートグループのアンテナポートが、対応するＴＣＩ状態においてＲＳと疑似コロケーションされていると仮定することができる。したがって、このような状況では、ネットワーク機器は、２つのＴＣＩにより示される２つのＱＣＬ設定を用いてＰＤＳＣＨを送信することができ、端末機器は２つのＴＣＩにより示される２つのＱＣＬ設定を用いてＰＤＳＣＨを受信することができる。別の態様において、スケジューリングオフセットが閾値時間以下である場合、ネットワーク機器及び端末機器は異なる方法で操作を行うことができる。
【００８０】
本開示のいくつかの実施形態では、ＵＥのために、サービスセルにおける１つのサービスセルのアクティブＢＷＰ内の１つ又は複数のＣＯＲＥＳＥＴを設定し、しかも設定されたＴＣＩ状態でのサービスセルのインデックスが、前のＰＤＣＣＨにおけるインデックスと同一である（上述のとおり）。このような状況では、ネットワーク機器はサービスセルのためにデフォルトＱＣＬ設定を用いることができ、端末機器もサービスセルのためにデフォルトＱＣＬ設定を用いることができ、且つ他のサービスセル内のＴＲＰからの信号を破棄することができる。例えば、端末機器は、最新スロットにおける最低のＣＯＲＲＥＳＴ−ＩＤに用いられるＱＣＬ設定に関し、ＰＤＳＣＨのＤＭＲＳポートグループのアンテナポートが、ＴＣＩ状態においてＲＳと疑似コロケーションされていると仮定することができ（ここではＵＥのために、サービスセルのアクティブＢＷＰ内の１つの又は複数のＣＯＲＥＳＥＴが設定されている）、且つ最新スロットにおける最低のＣＯＲＲＥＳＴ−ＩＤをデフォルトＱＣＬ設定であるとみなすことができる。
【００８１】
本開示のいくつかの実施形態では、ＵＥのために各サービスセルのアクティブＢＷＰにおける１つの又は複数のＣＯＲＥＳＥＴを設定しており、この状況において、ネットワーク機器及び端末機器は２つのサービスセルに対しそれぞれ、２つのデフォルトＱＣＬ設定を用いることができる。例えば、端末機器は最新スロットにおける２つの最低のＣＯＲＲＥＳＴ−ＩＤを、対応するサービスセルに用いるデフォルトＱＣＬ設定であるとみなすことができる。
【００８２】
本開示のいくつかの実施形態において、スケジューリングオフセットが閾値以下であると、ネットワーク機器及び端末機器は、２つのＤＭＲＳグループが疑似コロケーションされていると仮定することができ、また、２つのＤＭＲＳグループに同一のＴＣＩ状態及び異なるＴＣＩ状態のどちらが設定されているかに関わらず、２つのＤＭＲＳグループは最低のＣＯＲＥＳＥＴ  ＩＤと同一のＴＣＩ状態を有する、と仮定することができる。言い換えると、ネットワーク機器及び端末機器は、最新スロットにおける最低のＣＯＲＲＥＳＴ−ＩＤをデフォルトＱＣＬ設定であるとみなし、マルチＴＲＰ送信を停止し、単一ＴＲＰ送信に再度切り替えることになる。
【００８３】
本開示のいくつかの実施形態において、クロスキャリア又はクロスＴＲＰのスケジューリングについて、スケジューリングオフセットが閾値以下である場合、ＣＩＦフィールドを無視することができ、ＰＤＳＣＨをセルフキャリア又はセルフＴＲＰにおいて送信することができ、且つ最新スロットにおける最低のＣＯＲＥＳＴ  ＩＤを、デフォルトＱＣＬ設定として用いることができる。言い換えると、ネットワーク機器及び端末機器は、クロスキャリア又はクロスＴＲＰのスケジューリングを停止し、セルフキャリア又はセルフＴＲＰのスケジューリングに再度切り替えることになる。
【００８４】
本開示のいくつかの実施形態では、マルチパネル送信について、単一ＭＡＣ  ＣＥにおいてネットワーク機器から、ＰＤＣＣＨ受信に用いられる少なくとも２つの送信設定指示（ＴＣＩ）を送信することができ、ＭＡＣ  ＣＥ送信とＰＤＣＣＨとのスケジューリングオフセットと、所定方向での送信開始に必要な閾値時間に基づき、ＰＤＣＣＨ受信を実行することができる。
【００８５】
例えば、ＵＥはＮ個のパネルを有することができ、ＰＤＣＣＨはＮ個のパネルのうちＭ個のパネル（１≦Ｍ＜Ｎ）に基づき受信することができる。デュアルパネル送信を例に挙げると、１つのＵＥは２種類のＤのＱＬＣタイプを有することができ、他のＱＣＬタイプは２つのパネルに対し同一であり得る。デュアルパネルのＰＤＣＣＨのために２つのＴＣＩを選択し、ＭＡＣ  ＣＥを介して端末機器に送信することができる。
【００８６】
スケジューリングオフセットが閾値時間以上の場合、及びスケジューリングオフセットが閾値時間以上である各種状況について、ＰＤＳＣＨの送信設定指示に関して説明したのと同じ方法に基づき、デフォルトＱＣＬ設定を決定することができる。
【００８７】
本開示のいくつかの実施形態では、スケジューリングオフセットが閾値時間以上であり、このような状況では、端末機器は少なくとも２つのＴＣＩにより示されるＱＣＬ設定を用いて、異なるパネルからＰＤＣＣＨを受信することができる。
【００８８】
本開示のいくつかの実施形態では、スケジューリングオフセットが閾値時間以下であり、このような状況では、端末機器は対応するパネルの前のＰＤＣＣＨのデフォルトＱＣＬ設定を用いて、ＰＤＣＣＨを受信することができ、他のパネルからの信号を廃棄することができる。
【００８９】
本開示のいくつかの実施形態では、スケジューリングオフセットが閾値時間より小さく、このような状況では、端末機器は対応するパネルの前のＰＤＣＣＨの少なくとも２つのデフォルトＱＣＬ設定を用いて、ＰＤＣＣＨを受信することができる。
【００９０】
本開示のいくつかの実施形態では、スケジューリングオフセットが閾値時間以下であり、このような状況では、端末機器は対応するパネルの前のＰＤＣＣＨのデフォルトＱＣＬ設定を用いて、ＰＤＣＣＨを受信し、マルチパネル送信を停止することができる。
【００９１】
また理解すべき点として、ネットワーク機器ではＴＣＩ設定を実現するために、対応する操作を実行するが、詳細については端末機器での操作に関する説明を参照することができる。
【００９２】
図８は、本明細書で説明した、ＵＥなどの端末機器として体現可能であるか又はそれに設置可能な装置８１０、及びｇＮＢなどのネットワーク機器として体現可能であるか又はそれに設置可能な装置８２０の簡略化されたブロック図を概略的に示す。
【００９３】
装置８１０は、少なくとも１つのプロセッサ８１１（例えばデータプロセッサ（ＤＰ））と、プロセッサ８１１に結合される少なくとも１つのメモリ（ＭＥＭ）８１２とを備える。装置８１０はさらに、プロセッサ８１１に結合される送信機ＴＸ及び受信機ＲＸ  ８１３を備えることができ、送信機ＴＸ及び受信機ＲＸ  ８１３は、装置８２０に通信接続するように操作可能である。ＭＥＭ  ８１２はプログラム（ＰＲＯＧ）８１４を記憶する。ＰＲＯＧ  ８１４は、関連するプロセッサ８１１上で実行されると、装置８１０に本開示の実施形態（例えば、方法２００）に基づき操作を行わせることが可能な指示を備えることができる。少なくとも１つのプロセッサ８１１及び少なくとも１つのメモリ８１２の組合せは、本開示の各実施形態の実現に適合する処理装置８１５を構成することができる。
【００９４】
装置８２０は、少なくとも１つのプロセッサ８１１（例えばＤＰ）と、プロセッサ８１１に結合される少なくとも１つのＭＥＭ  ８２２とを備える。装置８２０はさらに、プロセッサ８２１に結合される適切なＴＸ／ＲＸ  ８２３を備えることができ、ＴＸ／ＲＸ  ８２３は、装置８１０と無線通信を行うように操作することができる。ＭＥＭ  ８２２はＰＲＯＧ  ８２４を記憶する。ＰＲＯＧ  ８２４は、指示を備えることができる。該指示は、関連するプロセッサ８２１上で実行されると、装置８２０に本開示の実施形態に基づき操作を行わせて、例えば方法４００を実行させることができる。少なくとも１つのプロセッサ８２１及び少なくとも１つのＭＥＭ  ８２２の組合せは、本開示の各実施形態の実現に適合する処理装置８２５を形成することができる。
【００９５】
本開示の各実施形態は、プロセッサ８１１、８２１、ソフトウェア、ファームウェア、ハードウェア又はそれらの組合せのうちの１つ若しくは複数により実行可能なコンピュータプログラムにより実現することができる。
【００９６】
メモリ８１２及び８２２は、ローカルの技術環境に適した任意のタイプであってよく、例として、任意の適切なデータ記憶技術により実現することができ、例えば、半導体による記憶装置、磁気記憶装置及びシステム、光学記憶装置及びシステム、固定メモリ及び移動可能メモリ等が挙げられるが、これらに限定されない。
【００９７】
プロセッサ８１１及び８２１は、ローカルの技術環境に適した任意のタイプであってよく、例として、汎用コンピュータ、専用コンピュータ、マイクロプロセッサ、デジタル信号処理器ＤＳＰ、及びマルチコアプロセッサ構成に基づくプロセッサのうち、一つ又は複数を備えることができるが、これらに限定されない。
【００９８】
また、本開示は、上述したようなコンピュータプログラムを備える担体を提供することができる。ここで、担体は電気信号、光信号、無線電気信号又はコンピュータ可読記憶媒体のうちの１つである。コンピュータ可読記憶媒体は例えば、ＲＡＭ（ランダムアクセスメモリ）、ＲＯＭ（リードオンリーメモリ）、フラッシュメモリ、テープ、ＣＤ−ＲＯＭ、ＤＶＤ、ブルーレイディスク等の光ディスク又は電子記憶装置であり得る。
【００９９】
本明細書で説明した技術は、様々な手段で実現することで、実施形態で説明した対応する装置の１つ又は複数の機能を実現する装置が、従来技術の装置のみならず、実施形態で説明した対応する装置の１つ又は複数の機能を実現するための装置を備えるようにすることができる。また、該装置は、単独の各機能のための単独装置を備えることができ、又は２つ若しくはより多くの機能を実行するよう設定可能な装置を備えることができる。例えば、これらの技術は、ハードウェア（１つ又は複数の装置）、ファームウェア（１つ又は複数の装置）、ソフトウェア（１つ又は複数のモジュール）、又はそれらの組合せにより実現可能である。ファームウェア又はソフトウェアについては、本明細書で説明した機能を実行するモジュール（例えば、プロセス、機能等）を通じて実現可能である。
【０１００】
以上、方法及び装置のブロック図及びフローチャートの図示を参照して、本明細書の例示的実施形態を説明した。理解すべき点として、ブロック図及びフローチャートの各ブロック並びにブロック図及びフローチャートの各ブロックの組合せは、それぞれ、コンピュータプログラムの指示を備える各装置によって実現可能である。これらのコンピュータプログラムの指示は、汎用コンピュータ、専用コンピュータ又は他のプログラミング可能なデータ処理装置上にロードされて、機器を生成することができ、コンピュータ又は他のプログラミング可能なデータ処理装置上で実行される指示が、フローチャートのブロックで指定された機能を実現するための装置を作成する。
【０１０１】
本明細書には複数の具体的な実現の詳細が含まれるが、これらは、実現内容又は保護を請求する可能性がある内容の範囲に対する何らかの限定であると解釈されるべきではなく、特定して実現される特定の実施形態において特定することができる特徴に対する説明である。本明細書において、個々の実施形態の文脈において説明したいくつかの特徴は、ある一つの実現形態において組み合わせて実現されてもよい。逆に、一つの実現形態の文脈において説明された各種特徴は、それぞれ、複数の実現形態において、又は任意の適切な補助的な組み合せにより、実現されてもよい。また、以上の説明では、特徴について、いくつかの組合せによって作用するものとして説明し、まず、そういうものとして保護を請求することができるが、いくつかの状況においては、保護を請求する組合せのうち１つ又は複数の特徴を組合せから排除することができ、保護を請求する組合せは、補助的な組合せ又は補助的な組合せの変形を備えることができる。
【０１０２】
当業者にとって明らかであるように、技術の進歩に伴い、本発明の構想は、さまざまな方法により実現可能である。上述の実施形態は説明用であり、本開示を限定するものではない。また、理解すべき点として、当業者が理解しやすいものであれば、本開示の精神及び範囲を逸脱しない状況において、修正及び変更を行うことができる。このような修正及び変更は、本開示に添付の請求項の範囲に含まれると考えられる。本開示の保護範囲は、添付の特許請求の範囲により限定される。
【図１】
2021535636.tif 000003
【図２】
2021535636.tif 000004
【図３】
2021535636.tif 000005
【図４】
2021535636.tif 000006
【図５】
2021535636.tif 000007
【図６】
2021535636.tif 000008
【図７】
2021535636.tif 000009
【図８】
2021535636.tif 000010
【手続補正書】
【提出日】令和3年3月2日(2021.3.2)
【手続補正１】
【補正対象書類名】明細書
【補正対象項目名】００５８
【補正方法】変更
【補正の内容】
【００５８】
図５に示すように、装置５００は、設定受信モジュール５１０と、ＣＳＩ測定モジュール５２０とを備えることができる。設定受信モジュール５１０は、ネットワーク機器からＣＳＩ−ＲＳリソース設定を受信するように設定される。ここで、ＣＳＩ−ＲＳリソース設定は、複数のＣＳＩ−ＲＳリソースを備えるＣＳＩ−ＲＳリソースセットを示す。ＣＳＩ測定モジュール５２０は、複数のＣＳＩ−ＲＳリソースコンビネーションのうちの１つのＣＳＩ−ＲＳリソースコンビネーションを用いて、ＣＳＩ測定を実行するように設定される。ここで複数のＣＳＩ−ＲＳリソースコンビネーションは、事前定義のコンビネーションルールに基づき、ＣＳＩ−ＲＳリソースセットから決定することができる。
【国際調査報告】
2021535636.tif 000011
2021535636.tif 000012